(57)【特許請求の範囲】
【請求項１】
トイレルームの壁面に着脱可能に取り付けられる水洗大便器のリモートコントロール装置であって、
背面部が前記壁面と実質的に平行になるよう前記壁面に取り付けられる筐体と、
前記筐体上に配置される少なくとも１つの入力手段と、
前記筐体内に配置され、前記入力手段が受け付けた操作に応じて水洗大便器を制御する制御基板と、を備え、
前記筐体は、上下方向における長さが、奥行き方向における長さよりも長くなるよう形成され、
前記筐体の前面部は、下側となるほど前記背面部から離れるよう傾斜しており、
本リモートコントロール装置はさらに、前記筐体の前記前面部に取り付けられ、前記入力手段の少なくとも１つを開閉可能に覆うカバーを備え、
前記カバーは、下端側を支点として開閉し、その上方側がその下方側よりも重いことを特徴とする水洗大便器のリモートコントロール装置。
【請求項２】
トイレルームの壁面に着脱可能に取り付けられる水洗大便器のリモートコントロール装置であって、
背面部が前記壁面と実質的に平行になるよう前記壁面に取り付けられる筐体と、
前記筐体上に配置される少なくとも１つの入力手段と、
前記筐体内に配置され、前記入力手段が受け付けた操作に応じて水洗大便器を制御する制御基板と、を備え、
前記筐体は、上下方向における長さが、奥行き方向における長さよりも長くなるよう形成され、
前記筐体の前面部は、下側となるほど前記背面部から離れるよう傾斜しており、
前記筐体の下方には、乾電池が収容されるべき電池収容部が設けられており、
前記制御基板は、本リモートコントロール装置の厚み方向において、前記乾電池の少なくとも一部と重なり、かつ、本リモートコントロール装置の高さ方向において、前記乾電池の少なくとも一部と重なる位置に配置されることを特徴とする水洗大便器のリモートコントロール装置。
【請求項３】
トイレルームの壁面に着脱可能に取り付けられる水洗大便器のリモートコントロール装置であって、
上面部、前面部および背面部を含み、当該背面部が前記壁面と実質的に平行になるよう前記壁面に取り付けられる筐体と、
前記筐体上に配置される少なくとも１つの入力手段と、
前記筐体内に配置され、前記入力手段が受け付けた操作に応じて水洗大便器を制御する制御基板と、を備え、
前記筐体は、上下方向における長さが、奥行き方向における長さよりも長くなるよう形成され、
前記前面部は、下側となるほど前記背面部および前記壁面から離れるように前記背面部および前記壁面に対して傾斜しており、
前記入力手段は、前記前面部にだけ配置され、
前記制御基板は、前記前面部と平行となるように前記背面部および前記壁面に対して傾斜しており、
前記筐体の前記上面部は、前記壁面に固定されるホルダーであって、本リモートコントロール装置を支持するホルダーの底面部よりも奥行き方向における長さが短く、前記筐体の前記底面部は、前記ホルダーの前記底面部よりも奥行き方向における長さが長くなるよう形成されていることを特徴とする水洗大便器のリモートコントロール装置。
【請求項４】
前記入力手段は、前記筐体の上面部以外に配置されることを特徴とする請求項１または２に記載の水洗大便器のリモートコントロール装置。
【請求項５】
前記筐体は、前記制御基板を当該筐体に固定するためのネジが螺合されるネジ穴を有し、
前記ネジ穴は、前記筐体を貫通する貫通穴であり、前記入力手段または銘板の配置領域に配置されることを特徴とする請求項１から４のいずれかに記載の水洗大便器のリモートコントロール装置。
【請求項６】
前記筐体は、前記前面部を有する第１筐体と、前記背面部を有する第２筐体とを含み、
前記第１筐体は、前記第２筐体を当該第１筐体に固定するためのネジが螺合されるネジ穴を有し、
前記ネジ穴は、前記第１筐体を貫通する貫通穴であり、前記入力手段または銘板の配置領域に配置されることを特徴とする請求項１から４のいずれかに記載の水洗大便器のリモートコントロール装置。
【請求項７】
トイレルームの壁面に着脱可能に取り付けられる水洗大便器のリモートコントロール装置と、
前記壁面に固定され、前記リモートコントロール装置を支持するホルダーと、を備え、
前記リモートコントロール装置は、
背面部が前記壁面と実質的に平行になるよう前記壁面に取り付けられる筐体と、
前記筐体上に配置される少なくとも１つの入力手段と、
前記筐体内に配置され、前記入力手段が受け付けた操作に応じて水洗大便器を制御する制御基板と、を備え、
前記筐体は、上下方向における長さが、奥行き方向における長さよりも長くなるよう形成され、
前記筐体の前面部は、下側となるほど前記背面部から離れるよう傾斜しており、
前記筐体の底面部は、前記背面部側に位置する第１底面部と、前記前面部側に位置し、前記第１底面部よりも上方に位置する第２底面部と、前記第１底面部と前記第２底面部とを接続する接続底面部と、を有し、
前記第１底面部および前記接続底面部は、前記ホルダーにより覆われることを特徴とする水洗大便器のリモートコントロール装置ユニット。
【発明の詳細な説明】
【技術分野】
【０００１】
本発明は、水洗大便器のリモートコントロール装置およびリモートコントロール装置ユニットに関する。
【背景技術】
【０００２】
従来、洗浄機能を備えた便器本体に無線信号を送信することにより便器の動作を制御するリモートコントロール装置が提案されている（例えば特許文献１参照）。
【先行技術文献】
【特許文献】
【０００３】
【特許文献１】特開２０１４−４７５０８号公報
【発明の概要】
【発明が解決しようとする課題】
【０００４】
特許文献１に記載されるような従来のリモートコントロール装置は、立っているユーザには操作ボタンが見えにくく、操作しづらい。また、装置が全体的に分厚く、デザイン性に欠ける。
【０００５】
本発明はこうした状況に鑑みてなされたものであり、その目的は、使い易く、かつ、スタイリッシュな水洗大便器のリモートコントロール装置を提供することにある。
【課題を解決するための手段】
【０００６】
上記課題を解決するために、本発明のある態様の水洗大便器のリモートコントロール装置は、トイレルームの壁面に着脱可能に取り付けられる水洗大便器のリモートコントロール装置であって、背面部が壁面と実質的に平行になるよう壁面に取り付けられる筐体と、筐体上に配置される少なくとも１つの入力手段と、筐体内に配置され、入力手段が受け付けた操作に応じて水洗大便器を制御する制御基板と、を備える。筐体は、上下方向における長さが、奥行き方向における長さよりも長くなるよう形成され、筐体の前面部は、下側となるほど背面部から離れるよう傾斜している。
【０００７】
なお、以上の構成要素の任意の組み合わせや、本発明の構成要素や表現を方法、装置、システムなどの間で相互に置換したものもまた、本発明の態様として有効である。
【発明の効果】
【０００８】
本発明によれば、使い易く、かつ、スタイリッシュな水洗大便器のリモートコントロール装置をできる。
【図面の簡単な説明】
【０００９】
【図１】実施の形態に係るリモートコントロール装置ユニットを備えるトイレルームを示す斜視図である。
【図２】リモートコントロール装置ユニットを示す正面図である。
【図３】リモートコントロール装置ユニットを示す斜視図である。
【図４】図４（ａ）〜（ｃ）は、リモートコントロール装置を示す図である。
【図５】図２のＡ−Ａ線断面図である。
【図６】リモートコントロール装置の断面図である。
【図７】リモートコントロール装置を後方から見た斜視図である。
【図８】リモートコントロール装置の断面図である。
【図９】実施の形態の変形例に係るリモートコントロール装置を示す図である。
【図１０】実施の形態の他の変形例に係るリモートコントロール装置を示す図である。
【発明を実施するための形態】
【００１０】
以下、各図面に示される同一または同等の構成要素、部材には、同一の符号を付するものとし、適宜重複した説明は省略する。また、各図面における部材の寸法は、理解を容易にするために適宜拡大、縮小して示される。また、各図面において実施の形態を説明する上で重要ではない部材の一部は省略して表示する。
【００１１】
図１は、実施の形態に係るリモートコントロール装置ユニット１２を備えるトイレルームを示す斜視図である。トイレルームには、水洗大便器１０と、リモートコントロール装置ユニット１２とが設置されている。
【００１２】
水洗大便器１０は、手動または自動で水を流すことにより、便器内を洗浄する。水洗大便器１０の後部上面には、リモートコントロール装置ユニット１２からの無線信号を受信する受信部２４が設けられている。水洗大便器１０の内部には、制御部（不図示）が設けられている。制御部は、受信部２４が受信した無線信号に基づく操作内容を解釈し、それに対応する機能を作動させる。
【００１３】
リモートコントロール装置ユニット１２は、壁面に取り付けられる。リモートコントロール装置ユニット１２は、使用者の操作に応じて、その操作の内容を示す無線信号を水洗大便器１０へ送信する。
【００１４】
図２は、リモートコントロール装置ユニット１２を示す正面図である。図３は、リモートコントロール装置ユニット１２を示す斜視図である。図３では、リモートコントロール装置１４をホルダー１６から取り外した状態が示される。図４（ａ）〜（ｃ）は、リモートコントロール装置１４を示す。図４（ａ）〜（ｃ）はそれぞれ、リモートコントロール装置１４の上面図、正面図および側面図である。図５は、図２のＡ−Ａ線断面図である。
【００１５】
リモートコントロール装置ユニット１２は、リモートコントロール装置１４と、ホルダー１６とを備える。リモートコントロール装置１４は、筐体１８と、制御基板２０と、操作ボタン部２２ａ、２２ｂ、２２ｃと、電池ボックス２６と、カバー３２と、を含む。
【００１６】
筐体１８は、横長の薄い箱状体であり、前面部１８ａ（後述）を含む第１筐体４４と、背面部１８ｂ（後述）を含む第２筐体４６とを結合することによって形成される。第１筐体４４および第２筐体４６は、例えば樹脂材料により形成される。筐体１８（すなわち第１筐体４４と第２筐体４６とが結合された筐体）は、前面部１８ａと、背面部１８ｂと、上面部１８ｃと、底面部１８ｄと、右側面部１８ｅと、左側面部１８ｆと、を含む。
以降、背面部１８ｂに対して前面部１８ａが設けられる側を前側として説明する。
【００１７】
筐体１８は、上下方向における長さが、前後方向における長さよりも長くなるよう形成される。また、筐体１８は、下側となるほど前後方向の厚みが増すよう形成される。すなわち、筐体１８は、前面部１８ａ、背面部１８ｂ、上面部１８ｃ、底面部１８ｄ、右側面部１８ｅおよび左側面部１８ｆにより形成される収容空間２８の前後方向の厚みが、下側ほど大きくなるよう形成される。別の言い方をすると、筐体１８は、前面部１８ａが背面部１８ｂに対して傾斜し、下側となるほど前面部１８ａと背面部１８ｂとが離れるよう形成される。前面部１８ａは特に、背面部１８ｂとのなす角が１０°〜３０°となるよう背面部１８ｂに対して傾斜する。本実施の形態では、前面部１８ａは、背面部１８ｂとのなす角が１２°となるよう背面部１８ｂに対して傾斜する。
【００１８】
したがって、筐体１８の上端部の前後方向の厚み（すなわち上面部１８ｃの前後方向の長さ）は、筐体１８の下端部の前後方向の厚み（すなわち底面部１８ｄの前後方向の長さ）よりも短くなる。また、リモートコントロール装置１４がホルダー１６を介してトイレルームの壁面に取り付けられている状態では、背面部１８ｂは壁面と実質的に平行となり、前面部１８ａは上方を向く。また、後述のように筐体１８の下方に乾電池を収容しつつも、上方における筐体１８の厚みを薄くできる。例えば、筐体１８の上端部の厚み（すなわち上面部１８ｃの前後方向の長さ）は、筐体１８内に収容されるべき乾電池の直径と同程度またはその乾電池の直径よりも小さくなるよう形成されてもよい。言い換えると、上面部１８ｃは、その前後方向の長さが１４．５ｍｍ以下となるよう形成されてもよい。あるいはまた、上面部１８ｃは、その前後方向の長さが１０．０ｍｍ以下となるよう形成されてもよい。
【００１９】
筐体１８の底面部１８ｄは、後方側が下側に突出している。具体的には、底面部１８ｄは、背面部１８ｂ側に位置する第１底面部１８ｇと、前面部１８ａ側に位置し、第１底面部１８ｇよりも上方に位置する第２底面部１８ｈと、第１底面部１８ｇと第２底面部１８ｈとを接続する接続底面部１８ｉと、を有する。リモートコントロール装置１４がホルダー１６に取り付けられている状態では、後述するように、第１底面部１８ｇと接続底面部１８ｉとはホルダー１６に覆われる。一方、第２底面部１８ｈは、ホルダー１６に覆われず、むき出しのままとなる。
【００２０】
また筐体１８は、その前面部１８ａ側が、上側および左右外側に向けて張り出している。具体的には、筐体１８の上面部１８ｃは、背面部１８ｂ側に位置する第１上面部１８ｊと、前面部１８ａに位置し、第１上面部１８ｊよりも上方に位置する第２上面部１８ｋと、を有する。筐体１８の右側面部１８ｅは、背面部１８ｂ側に位置する第１右側面部１８ｍと、前面部１８ａ側に位置し、第１右側面部１８ｍよりも外側に位置する第２右側面部１８ｎと、を有する。筐体１８の左側面部１８ｆは、背面部１８ｂ側に位置する第１左側面部１８ｐと、前面部１８ａ側に位置し、第１左側面部１８ｐよりも外側に位置する第２左側面部１８ｑと、を有する。
【００２１】
電池ボックス２６は、収容空間２８に配置される。電池ボックス２６には、リモートコントロール装置１４に動作電力を供給する乾電池（不図示）が収容される。本実施の形態では、単３の乾電池が収容される。電池ボックス２６と電池ボックス２６に収容される乾電池とは、筐体１８の下方に収容される。ここで、筐体１８の下方とは、上下方向における筐体１８の真ん中よりも下側の部分をいう。なお、乾電池を収容不可能な筐体１８の部分を上方、乾電池を収容可能な筐体１８の部分を下方としてもよい。つまり、筐体１８の上方は乾電池を収容不可能であり、所定より下側である筐体１８の下方は乾電池を収容可能となる。電池ボックス２６と乾電池とは、筐体１８内の下端部に収容されてもよい。
【００２２】
筐体１８の前面部１８ａには、操作ボタン部２２ａ、２２ｂ、２２ｃが設けられる。本実施の形態では、前面部１８ａにだけ操作ボタン部が設けられている。操作ボタン部２２ａ、２２ｂ、２２ｃはそれぞれ、水洗大便器１０の動作を操作するための１つまたは複数のボタンを含む。操作ボタン部２２ａ、２２ｂ、２２ｃの各ボタンには、あらかじめ各種機能のいずれかが割り付けられている。
【００２３】
例えば操作ボタン部２２ａは、便座の開閉ボタン、便器洗浄のためのボタン、人体局部洗浄のためのボタンやそれを停止させるためのボタンを含む。操作ボタン部２２ｂは、リモートコントロール装置１４の電源ボタンを含む。操作ボタン部２２ｃは、便座の温度設定のためのボタン、人体局部洗浄の温水の温度設定のためのボタンを含む。すなわち、操作ボタン部２２ｃは、普段はあまり使用しないボタンを含む。操作ボタン部２２ｃは、例えば白色の銘板４２により覆われている。
【００２４】
制御基板２０は、筐体１８内に、前面部１８ａと略平行となるよう配置される。制御基板２０は特に、リモートコントロール装置１４の厚み方向（すなわち前後方向）において、乾電池の一部と重複するよう配置される。なお、制御基板２０は、厚み方向において乾電池の全部と重複するよう配置されてもよい。また、制御基板２０は、リモートコントロール装置１４の高さ方向（すなわち上下方向）において、乾電池の全部と重複するよう配置される。なお、制御基板２０は、高さ方向において乾電池の一部と重複するよう配置されてもよい。
【００２５】
制御基板２０は、電池ボックス２６に収容される乾電池を電源として動作する。制御基板２０は、ユーザが押下したボタンに対応する機能を特定し、それに応じた無線信号を送信部３０から送信させる。
【００２６】
カバー３２は、板状の部材であり、例えば樹脂材料により形成される。カバー３２は、その下端側を支点として回動するよう前面部１８ａに取り付けられ、開閉可能に操作ボタン部２２ｃを覆う。カバー３２は、先端側（すなわち上方側）の半分が、根元側（すなわち下方側）の半分よりも重くなるよう形成される。
【００２７】
図６は、リモートコントロール装置１４の断面図である。図６では、カバー３２を通る断面を示す。図６に示すように、カバー３２は、先端（すなわち上端）に肉厚部３２ａを有する。これにより、カバー３２は、回動の支点から遠い先端側の半分が、根元側の半分よりも重くなる。したがって、カバー３２は、閉じた状態では前面部１８ａに寄りかかって安定する。
【００２８】
図２〜４に戻り、ホルダー１６は、トイレルームの壁面に固定され、リモートコントロール装置１４を着脱可能に支持する。ホルダー１６は、例えば樹脂材料により形成され、リモートコントロール装置１４の筐体１８とは異なる色を呈する。例えばリモートコントロール装置１４が白色でホルダー１６が黒色であってもよい。ホルダー１６は、背面部１６ａと、底面部１６ｂと、右側面部１６ｃと、左側面部１６ｄと、を含む。背面部１６ａは、不図示のビス等により、壁面に固定される。底面部１６ｂは、背面部１６ａの下端に接続され、リモートコントロール装置１４を支持する。右側面部１６ｃは、背面部１６ａおよび底面部１６ｂの右側端部に接続される。左側面部１６ｄは、背面部１６ａおよび底面部１６ｂの左側端部に接続される。
【００２９】
右側面部１６ｃおよび左側面部１６ｄの内側には、上下方向に延びるレール３４が設けられている。このレール３４に沿うようにリモートコントロール装置１４を上側からスライドさせてホルダー１６に差し込み、筐体１８の右側面部１８ｅおよび左側面部１８ｆに形成されたリブ（いずれも不図示）をレール３４に係合させることにより、リモートコントロール装置１４はホルダー１６に取り付けられる。すなわちリモートコントロール装置１４は、ホルダー１６を介してトイレルームの壁面に取り付けられる。
【００３０】
ホルダー１６の底面部１６ｂは、その前方側に、上側に突出する折り返し部１６ｅを有する。リモートコントロール装置１４がホルダー１６に取り付けられた状態では、この底面部１６ｂにより、第１底面部１８ｇと接続底面部１８ｉとが覆われる。特に、接続底面部１８ｉは、底面部１６ｂの折り返し部１６ｅによって覆われ、リモートコントロール装置１４がホルダー１６に取り付けられた状態では、ユーザからは折り返し部１６ｅ（すなわちホルダー１６）が見える。
【００３１】
図７は、リモートコントロール装置１４を後方から見た斜視図である。図８は、リモートコントロール装置１４の断面図である。図８では、ネジ穴３６を通る断面を示す。また、図７、８では、第２筐体を取り外した状態を示す。
【００３２】
筐体１８の前面部１８ａには、前面部１８ａを貫通するネジ穴３６が形成されている。ネジ穴３６は特に、ボタンの配置領域や、銘板４２の配置領域に形成される。制御基板２０に形成された挿通穴３８を挿通したネジ４０がネジ穴３６に螺合することにより、制御基板２０は前面部１８ａに対して固定される。
【００３３】
以上説明した本実施の形態に係るリモートコントロール装置１４によると、筐体１８は、背面部１８ｂが壁面と実質的に平行になるよう壁面に取り付けられ、筐体１８の前面部１８ａは、下側となるほど背面部１８ｂから離れるよう形成される。別の言い方をすると、筐体１８は、下側となるほど厚くなり、上側となるほど薄くなるよう形成される。これにより、操作ボタン部が設けられる前面部１８ａは上方を向き、水洗大便器１０に着座しているユーザにも立っているユーザにも操作ボタン部が見やすく、操作しやすくなる。また、筐体１８の上端部の前後方向の厚みを比較的薄くすることが可能となり、スタイリッシュなデザインのリモートコントロール装置１４を実現できる。また、上面部１８ｃの面積も小さくなるため、上面部１８ｃに溜まる埃も低減される。また、上端部が比較的薄くなると、ユーザが筐体１８に手をつかなくなることが期待される。これにより、リモートコントロール装置１４とホルダー１６とが壁面から脱落するのが抑止される。
【００３４】
また、実施の形態に係るリモートコントロール装置１４によると、筐体１８の前面部１８ａにだけ操作ボタン部が設けられる。ここで、２面以上に操作ボタン部が設けられると、制御基板が２枚以上になり、基板同士を接続するハーネスと、ハーネスを組み付ける作業とが必要になり、リモートコントロール装置１４の製造コストが増加する。これに対し、前面部１８ａにだけ（すなわち１面にだけ）操作ボタン部が配置される場合、ハーネスと、ハーネスを組み付ける作業が必要にならないため、リモートコントロール装置１４の製造コストが抑えられる。
【００３５】
また、実施の形態に係るリモートコントロール装置１４によると、筐体１８の下方に乾電池が収容される。したがって、筐体１８内に乾電池を収容しつつも、筐体１８の上方の厚みを乾電池の直径と同程度または乾電池よりも小さくすることが可能となる。つまり、よりスタイリッシュなリモートコントロール装置１４を実現できる。
【００３６】
また、実施の形態に係るリモートコントロール装置１４によると、制御基板２０は、リモートコントロール装置１４の厚み方向において、乾電池の少なくとも一部と重複するよう配置される。これにより、後ろに乾電池が収容されている前面部１８ａの部分にもボタンを配置でき、前面部１８ａのスペースを有効に活用できる。加えて、筐体１８の下方に乾電池を収容している場合には、制御基板２０の厚みと乾電池の直径とを加えた厚みよりも、筐体１８の上端部を薄くできる。つまり、前面部１８ａのスペースを有効活用しつつ、リモートコントロール装置１４をスタイリッシュにできる。
【００３７】
また、実施の形態に係るリモートコントロール装置１４によると、制御基板２０を前面部１８ａに固定するためのネジが螺合されるネジ穴は操作ボタン部や銘板の配置領域に形成される。そのため、ネジ穴を貫通孔にしても、操作ボタン部や銘板によって隠される。したがって、ネジ穴に底部を設ける必要がない（すなわちネジ穴を非貫通孔にする必要がない）ため、前面部１８ａを比較的薄くしても十分な深さのネジ穴を形成できる。つまり、前面部１８ａひいてはリモートコントロール装置１４を比較的薄くできる。
【００３８】
また、実施の形態に係るリモートコントロール装置１４によると、筐体１８の前面部１８ａ側は、上側および左右外側に向けて張り出している。これにより、リモートコントロール装置１４がホルダー１６に取り付けられた状態では、リモートコントロール装置１４が空中に浮いているように見える。つまり、斬新な見栄えのするリモートコントロール装置１４を提供できる。
【００３９】
また、実施の形態に係るリモートコントロール装置ユニット１２によると、ホルダー１６の底面部１６ｂにより、第１底面部１８ｇと接続底面部１８ｉとが覆われる。特に、接続底面部１８ｉは、底面部１６ｂの折り返し部１６ｅによって覆われ、リモートコントロール装置１４がホルダー１６に取り付けられた状態では、ユーザからは折り返し部１６ｅが見える。このようにホルダー１６を敢えてユーザに見えるようにすることで、リモートコントロール装置１４が壁に直接取り付けられているのではなくホルダー１６に支持されていること、すなわちリモートコントロール装置１４を壁から取り外せること、をユーザに認識させることができる。また、第２底面部１８ｈは、ホルダー１６によって覆われないため、ユーザは第２底面部１８ｈに指をかけてリモートコントロール装置１４を取り外すことができる。
【００４０】
また、実施の形態に係るリモートコントロール装置ユニット１２によると、操作ボタン部２２ｃを覆うカバー３２は、支点から遠い先端側が根元側より重くなるよう形成される。これにより、カバー３２は、閉じた状態では前面部１８ａに寄りかかって安定する。ここで、従来のリモートコントロール装置１４では、カバー３２および筐体１８の一方にマグネットを取り付け、他方に鉄を取り付け、磁力によりカバー３２が開かないようにしていた。あるいはまた、カバー３２の先端に係合爪を設け、それに対応する筐体１８の部分に係合溝を設け、それらを係合することによりカバー３２が開かないようにしていた。前者の場合は、マグネットと鉄が必要であるため、製造コストが比較的高くなる。後者の場合は、カバー３２の開閉を繰り返すと係合爪や係合溝が劣化し、カバー３２を締められなくなることがある。これに対し、実施の形態に係るリモートコントロール装置ユニット１２によると、こうした問題が生じるのを回避できる。
【００４１】
以上、実施の形態に係るリモートコントロール装置ユニット１２について説明した。この実施の形態は例示であり、その各構成要素の組み合わせにいろいろな変形例が可能なこと、またそうした変形例も本発明の範囲にあることは当業者に理解されるところである。
【００４２】
（変形例１）
実施の形態では特に言及しなかったが、第２筐体に形成された挿通穴を挿通したネジが第１筐体の前面部１８ａに形成されたネジ穴に螺合することにより、第１筐体と第２筐体とを結合してもよい。この場合、ネジ穴は、前面部１８ａのボタンの配置領域や、銘板４２の配置領域に形成される貫通孔であってもよい。
【００４３】
（変形例２）
実施の形態では、カバー３２は、先端に肉厚部３２ａを有する場合について説明したが、これに限られない。例えばカバー３２の先端に金属製の重りが取り付けられてもよい。また例えば、カバー３２は、根元から先端ほど肉厚になるよう形成されてもよい。つまり、カバー３２は、先端側の半分が、根元側の半分よりも重くなるよう形成されればよい。
【００４４】
（変形例３）
実施の形態では、前面部１８ａに操作ボタン部が設けられる場合について説明したが、これに限られない。操作ボタン部に加えてまたは操作ボタン部に代えて、タッチパネルが設けられてもよい。つまり、前面部１８ａには、入力手段が設けられればよい。
【００４５】
（変形例４）
実施の形態では前面部１８ａに操作ボタン部が設けられる場合について説明したが、これに限られない。操作ボタン部は、上面部１８ｃ以外、すなわち底面部１８ｄや右側面部１８ｅや左側面部１８ｆに設けられてもよい。
【００４６】
以上、本発明をいくつかの実施の形態をもとに説明した。これらの実施の形態は例示であり、いろいろな変形および変更が本発明の特許請求範囲内で可能なこと、またそうした変形例および変更も本発明の特許請求の範囲にあることは当業者に理解されるところである。従って、本明細書での記述および図面は限定的ではなく例証的に扱われるべきものである。
【００４７】
（変形例５）
実施の形態では、筐体１８の前面部１８ａ側が上側および左右外側に向けて張り出している場合について説明したが、これに限られない。図９は、実施の形態の変形例に係るリモートコントロール装置１４０を示す。図９は図４に対応する。本変形例では、筐体１８の前面部１８ａ側は、上側および左右外側に加え、下側にも張り出している。つまり、本変形例では、第２底面部１８ｈは、第１底面部１８ｇよりも下側に位置する。本変形例に係るリモートコントロール装置１４によると、リモートコントロール装置１４がホルダー１６に取り付けられた状態では、よりリモートコントロール装置１４が空中に浮いているように見える。つまり、より斬新な見栄えのするリモートコントロール装置１４を提供できる。
【００４８】
図１０は、実施の形態の他の変形例に係るリモートコントロール装置１４を示す。図１０は図４に対応する。本変形例では、筐体１８の前面部１８ａは、左右外側にだけ張り出している。つまり、本変形例では、上面部１８ｃおよび底面部１８ｄは平坦に形成される。本変形例によると、前面部１８ａ側が左右外側に張り出した斬新な見栄えのするリモートコントロール装置１４を提供できる。加えて、本変形例によると、上面部１８ｃが平坦であるため、拭き掃除しやすい。
【００４９】
以上の記載から、下記の発明が認識される。
本発明のある態様の水洗大便器のリモートコントロール装置は、トイレルームの壁面に着脱可能に取り付けられる水洗大便器のリモートコントロール装置であって、背面部が壁面と実質的に平行になるよう壁面に取り付けられる筐体と、筐体上に配置される少なくとも１つの入力手段と、筐体内に配置され、入力手段が受け付けた操作に応じて水洗大便器を制御する制御基板と、を備える。筐体は、上下方向における長さが、奥行き方向における長さよりも長くなるよう形成され、筐体の前面部は、下側となるほど背面部から離れるよう傾斜している。
【００５０】
この態様によると、筐体の上面の前後方向の厚みを比較的薄くすることが可能となり、スタイリッシュな見た目のリモートコントロール装置を実現できる。
【００５１】
入力手段は、前面部にだけ配置されてもよい。
ここで、入力手段が２面以上に配置されると、基板が２枚以上になるため、それら基板同士を接続するハーネスと、ハーネスを組み付ける作業とが必要になり、リモートコントロール装置の製造コストが増加する。これに対し、前面部にだけ配置される場合、ハーネスとハーネスを組み付ける作業とが必要にならないため、リモートコントロール装置の製造コストが抑えられる。
【００５２】
入力手段は、筐体の上面部以外に配置されてもよい。
【００５３】
筐体の下方には、乾電池が収容されるべき電池収容部が設けられていてもよい。
この態様によると、筐体内に乾電池を収容しつつも、筐体の上方の厚みを乾電池の直径と同程度または乾電池よりも小さくすることが可能となる。つまり、よりスタイリッシュな見た目のリモートコントロール装置を実現できる。
【００５４】
制御基板は、本リモートコントロール装置の厚み方向において、乾電池の少なくとも一部と重複するよう配置されてもよい。
この態様によれば、後ろに乾電池が収容されている前面部の部分にもボタンを配置でき、前面部のスペースを有効に活用できる。
【００５５】
筐体は、制御基板を当該筐体に固定するためのネジが螺合されるネジ穴を有してもよい。ネジ穴は、筐体を貫通する貫通穴であり、入力手段または銘板の配置領域に配置されてもよい。
【００５６】
筐体は、前面部を有する第１筐体と、背面部を有する第２筐体とを含んでもよい。第１筐体は、第２筐体を当該第１筐体に固定するためのネジが螺合されるネジ穴を有してもよい。ネジ穴は、第１筐体を貫通する貫通穴であり、入力手段または銘板の配置領域に配置されてもよい。
【００５７】
これらの態様によると、入力手段または銘板によりネジ穴が隠されるため、ネジ穴を貫通孔にできる。これにより、前面部を比較的薄くしても十分な深さのネジ穴を形成できる。
【００５８】
筐体の前面部に取り付けられ、入力手段の少なくとも１つを開閉可能に覆うカバーをさらに備えてもよい。カバーは、下端側を支点として開閉し、その上方側がその下方側よりも重くてもよい。
この態様によると、カバーは、その自重により前面部に押しつけられ、閉じた状態で安定する。
【００５９】
筐体の上端部の厚みは、乾電池の厚みより薄いか略等しくてもよい。
【００６０】
本発明のさらに別の態様は、リモートコントロール装置ユニットである。この装置ユニットは、水洗大便器のリモートコントロール装置と、壁面に固定され、リモートコントロール装置を支持するホルダーを備える。リモートコントロール装置の筐体の底面部は、背面部側に位置する第１底面部と、前面部側に位置し、第１底面部よりも上方に位置する第２底面部と、第１底面部と第２底面部とを接続する接続底面部と、を有する。第１底面部および接続底面部は、ホルダーにより覆われる。
【符号の説明】
【００６１】
１０  水洗大便器、  １２  リモートコントロール装置ユニット、  １４  リモートコントロール装置、  １６  ホルダー、  １８  筐体、  １８ａ  前面部、  １８ｂ  背面部、  １８ｃ  上面部、  ２０  制御基板、  ２２ａ，２２ｂ，２２ｃ  操作ボタン部、  ２６  電池ボックス。
【図１】
0006679242.tif 000002
【図２】
0006679242.tif 000003
【図３】
0006679242.tif 000004
【図４】
0006679242.tif 000005
【図５】
0006679242.tif 000006
【図６】
0006679242.tif 000007
【図７】
0006679242.tif 000008
【図８】
0006679242.tif 000009
【図９】
0006679242.tif 000010
【図１０】
0006679242.tif 000011